(57)【要約】【課題】他の表示装置の表示部分図を自己の表示装置にて把握するのを可能にする。【解決手段】各表示制御装置は、電力系統図の全体図または部分図を表す画像を１つ以上の表示装置に表示するように構成されている。表示制御装置の制御部は、他の表示制御装置から送信された信号に基づく表示制御信号を、表示制御部に出力する制御信号出力部と、全体図画像における、部分図画像を識別するための識別情報を取得する情報取得部と、を有する。表示制御装置は、情報取得部によって取得された識別情報によって識別される部分図画像の範囲を、全体図画像内において画像として表示するように指示する表示指示情報を、他の表示制御装置に送信する。【選択図】図２
2016045213.tif 000002
【特許請求の範囲】
【請求項１】
複数の表示制御装置を備え、
各前記表示制御装置は、
画面を表示するための１つ以上の表示装置に接続可能であり、
電力系統図の全体図または部分図を表す画像を前記１つ以上の表示装置に表示するように構成されており、
各前記表示制御装置は、
表示制御信号に基づき前記表示装置の表示動作を制御する表示制御部と、
他の前記表示制御装置と通信する通信部と、
当該表示制御装置に対する入力に基づいて、各前記表示制御部および前記通信部を制御する制御部と、を含み、
前記制御部は、
前記他の表示制御装置から送信された信号に基づく表示制御信号を、前記表示制御部に出力する制御信号出力部と、
前記全体図を表す全体図画像における、前記部分図を表す部分図画像を識別するための識別情報を、前記入力から取得する情報取得部と、を有し、
前記通信部は、前記情報取得部によって取得された前記識別情報によって識別される部分図画像の範囲を、全体図画像内において画像として表示するように指示する表示指示情報を、前記他の表示制御装置に送信する、電力系統監視システム。
【請求項２】
前記複数の表示制御装置のそれぞれは、さらに、ユーザの操作内容を受付ける操作受付部を、含み、
前記情報取得部は、
前記操作受付部によって前記入力として受け付けられた操作内容であって、且つ前記画面に表示された全体図画像内の部分図画像の範囲を指定する操作内容から、前記部分図画像の識別情報を取得し、
前記通信部は、さらに、
前記操作内容から取得された前記識別情報によって識別される部分図画像を表示するよう指示する部分図表示指示情報を、前記他の表示制御装置に送信する、請求項１に記載の電力系統監視システム。
【請求項３】
前記複数の表示制御装置のそれぞれは、
当該表示制御装置に接続されている表示装置の画面に表示される表示画像の変更を、禁止または許可するかを示すロック情報を記憶する自己ロック記憶部を、さらに含み、
前記制御信号出力部は、さらに、
前記自己ロック記憶部のロック情報が前記禁止を示す場合には、前記他の表示制御装置からの送信された信号に基づく表示制御信号の出力を禁止する、請求項２に記載の電力系統監視システム。
【請求項４】
前記複数の表示制御装置のそれぞれは、
前記通信部によって受信された他の表示制御装置に接続される表示装置の前記ロック情報を記憶する他ロック記憶部を、さらに含み、
前記通信部は、さらに、
前記他ロック記憶部に記憶されている前記ロック情報が前記禁止を示す場合には、前記部分図表示指示情報の送信を禁止する、請求項３に記載の電力系統監視システム。
【請求項５】
前記１つ以上の表示装置は、複数の画面を表示可能であり、
前記部分図表示指示情報は、
前記複数の画面のうち、前記操作内容から取得された前記識別情報によって識別される部分図画像を表示するための画面を指定する情報を含む、請求項２から４のいずれか１項に記載の電力系統監視システム。
【請求項６】
前記複数の表示制御装置のそれぞれの制御部は、
前記部分図画像について、前記複数の表示制御装置のうち当該部分図画像を画面に表示した表示制御装置の台数に基づき、当該部分図画像が表示されたか否かを報知する手段を有する、請求項１から５のいずれか１項に記載の電力系統監視システム。
【請求項７】
前記報知する手段は、前記表示制御装置の台数と、予め定められた基準台数との比較に基づき、前記部分図画像が表示されたか否かを報知する、請求項６に記載の電力系統監視システム。
【請求項８】
前記予め定められた基準台数は、前記部分図画像の種類に従い設定される、請求項７に記載の電力系統監視システム。
【発明の詳細な説明】
【技術分野】
【０００１】
本開示は、電力系統向けの電力系統監視システムに関し、特に、運転員どうしが系統図で監視する範囲の把握及び指定を可能とするための電力系統監視システムに関する。
【背景技術】
【０００２】
電力系統の監視制御を行うシステムでは、監視制御室において、運転員が専用の操作卓を使用して対象変電所設備の監視や運転操作を実施する。操作卓は、計算機に接続された複数の表示装置を備え、運転員は画面を確認しながらマウスまたはキーボードを使って運転操作を実施する。
【０００３】
電力系統は大規模で複雑化しているため、監視対象の系統図全体を一画面で表示することが求められる。その方法として、全体図表示と、任意の部分を詳細に示す部分図表示とを複数台の表示装置に分割して実施させる方法がとられている。
【０００４】
部分図表示においては、表示中の部分図の全体図内での位置を、全体図画像内に切出範囲として表示する方法がとられている。このような表示方法として、特許文献１（特開平８−１１５４３８号公報）は、全体図から一部分を切出してサブ画面として表示する方法を開示する。また、特許文献２（特開平８−３０５５２７号公報）は、全体系統図と個別系統ブロック図を表示してスクロール可能とする方法を開示する。また特許文献３（特開平１１−７３２９２号公報）は、表示画面の任意の一部を切出して他の表示画面との複数画面を同時に表示する方法を開示する。特許文献４（特開２０００−３６０２９号公報）では電力系統図の全体図と部分図をスクロール可能なようにメイン画面とサブ画面に表示する方法を開示する。
【先行技術文献】
【特許文献】
【０００５】
【特許文献１】特開平０８−１１５４３８号公報
【特許文献２】特開平０８−３０５５２７号公報
【特許文献３】特開平１１−７３２９２号公報
【特許文献４】特開２０００−３６０２９号公報
【発明の概要】
【発明が解決しようとする課題】
【０００６】
上記の特許文献に記載の表示装置または方法では、自己の表示装置において表示中の部分図を当該装置で表示中の全体図内に切出範囲として表示することはできるが、他の表示装置で表示している部分図を自己の表示装置にて把握することはできなかった。
【０００７】
それゆえに、本開示の目的は、他の表示装置で表示している部分図を自己の表示装置にて把握するのを可能にする電力系統監視システムを提供することである。
【課題を解決するための手段】
【０００８】
本発明によれば、表示制御装置の通信部は、情報取得部によって取得された識別情報によって識別される部分図画像の範囲を、全体図画像内において画像として表示するように指示する表示指示情報を、他の表示制御装置に送信する。
【発明の効果】
【０００９】
本発明によれば、一の表示制御装置は、他の表示制御装置に表示指示情報を送信することにより、一の表示制御装置において表示している部分図画像の範囲を、他の表示制御装置が表示している全体図画像において、画像として表示させることができる。したがって、他の表示制御装置の運転員に対して、一の表示制御装置によって表示されている部分画像の範囲を、容易に把握させることができる。
【００１０】
そのため、例えば、電力系統を複数の表示制御装置で監視する際に、監視範囲の重複（複数の表示制御装置によって同じ部分画像が表示されている）、または監視範囲の漏れ（いずれの表示制御装置によっても表示されていない部分画像がある）の発生を防止することができる。
【図面の簡単な説明】
【００１１】
【図１】実施の形態に係る電力系統監視システムの構成図である。
【図２】実施の形態１に係る操作卓１００と２００の機能構成を関連付けて示す図である。
【図３】本発明の実施の形態に係る操作卓１００のハードウェア構成図である。
【図４】実施の形態１に係る画面における電力系統図の画面表示例が示す図である。
【図５】実施の形態１に係る記憶内容の一例を示す図である。
【図６】実施の形態１に係る操作卓間でやり取りされる通信用のパケット例を示す図である。
【図７】本実施の形態１に係る表示処理のフローチャートである。
【図８】図７のフローチャートで判定される事象の説明図である。
【図９】実施の形態２に係る操作卓１００Ａと２００Ａの機能構成を関連付けて示す図である。
【図１０】実施の形態２に係る画面における電力系統図の表示例を示す図である。
【図１１】本実施の形態２に係る表示処理のフローチャートである。
【図１２】図１１のフローチャートで判定される事象の説明図である。
【図１３】実施の形態３に係る操作卓１００Ｂと２００Ｂの機能構成を関連付けて示す図である。
【図１４】実施の形態３に係る画面における電力系統図の表示例を示す図である。
【図１５】実施の形態３に係る表示範囲テーブル２０Ｂの構成を示す図である。
【図１６】本実施の形態３に係る処理のフローチャートである。
【図１７】本実施の形態３に係る処理のフローチャートである。
【図１８】図１６と図１７のフローチャートで判定される事象の説明図である。
【図１９】実施の形態１〜３の変形例に係る処理のフローチャートである。
【図２０】図１９の処理において参照される管理データ３０１の一例を示す図である。
【発明を実施するための形態】
【００１２】
以下、図面を参照して実施の形態を説明する。なお、各図中、同一符号は同一または相当部分を示す。
【００１３】
本実施の形態では、電力系統図の「全体図画像」とは、電力系統図の全体を表す画像であり、「部分図画像」は、全体図画像のなかの部分を表す画像である。また、複数の操作卓は、相互に通信可能であって、操作卓同士で通信する場合に、一方を「自操作卓」と称し、他方を「他操作卓」と称する場合がある。
【００１４】
[実施の形態１]
（システム構成）
図１は、実施の形態１に係る電力系統監視システムの構成図である。図１を参照して電力系統監視システムでは、複数の制御所（変電所等に設置される）１Ａ、２Ａおよび３Ａが、ＬＡＮ（Local Area Network）等の通信回線４Ａを介して相互に通信する。制御所１Ａの複数の操作卓は通信制御装置１Ｂを介して通信回線４Ａに接続され、電力系統を監視する。制御所２Ａの装置は、通信制御装置２Ｂを介して通信回線４Ａに接続され、電力系統を監視する。制御所３Ａの装置は、通信制御装置３Ｂを介して通信回線４Ａに接続され、電力系統を監視する。通信制御装置１Ｂ、２Ｂおよび３Ｂは、ルータ等の通信中継機能を備えて構成される。各制御所の設備は、同様な構成を有するので、ここでは代表して制御所１Ａについて説明する。
【００１５】
図１を参照して制御所１Ａは、表示制御装置に相当する操作卓１００および２００を備える。操作卓は、コンソール機能を有し、運転員の操作内容を受付けて処理する機能を備える。ここでは、制御所内の操作卓の台数は２台としたが、これに限定されない。ここでは、２台の操作卓に運転員がそれぞれ割り当てられている。
【００１６】
操作卓１００は、画面１１Ａを表示するための表示装置１１０、画面１２Ａを表示するための表示装置１２０および画面１３Ａを表示するための表示装置１３０を接続する。また操作卓２００は、同様に、画面２１Ａを表示するための表示装置２１０、画面２２Ａを表示するための表示装置２２０および画面２３Ａを表示するための表示装置２３０を接続する。各画面は、液晶ディスプレイ等に相当する。操作卓１００、操作卓２００および通信制御装置１Ｂは制御所内部のイーサネット（登録商標）を介して通信する。なお、制御所内部の通信は、イーサネットによるものに限定されない。
【００１７】
図１では、１つの表示装置は、１つの画面を表示するとしているが、複数の画面を表示するようにしてもよい。また、各操作卓が備える表示装置は３台としているが、３台に限定されず複数台であればよい。つまり、本実施の形態は、操作卓に接続された１つ以上の表示装置によって、複数の画面が表示される構成を有する。
【００１８】
（操作卓の構成）
図２は、実施の形態１に係る操作卓１００と２００の機能構成を関連付けて示す図である。操作卓１００は、操作卓１００の後述するマウス１８１またはキーボード１８２からの運転員の操作内容を受付けるための操作受付部１３５、入力事象を認識する入力事象認識部１４０、および事象処理部１５０を備える。事象処理部１５０は、図２の機能構成の各部を制御する制御部に相当する。ここでは、「事象」は、操作受付部１３５を介して運転員の操作内容を受付けること（入力事象ともいう）、または他の操作卓と通信することを含む。
【００１９】
事象処理部１５０は、入力事象認識部１４０により認識された情報に基づく処理を行う機能、情報取得部１５１および制御信号出力部１５２を含む。情報取得部１５１は、部分図画像を識別するための識別情報（後述する指定範囲情報６８）等を取得する。制御信号出力部１５２は各表示装置の表示制御部（後述する全体図表示制御部１７１、および部分図表示制御部１７２，１７３）に表示制御信号を出力する。
【００２０】
また、事象処理部１５０には、表示装置１１０に対応した全体図表示制御部１７１、表示装置１２０に対応した部分図表示制御部１７２および表示装置１３０に対応した部分図表示制御部１７３が接続される。全体図表示制御部１７１、および部分図表示制御部１７２，１７３は、事象処理部１５０からの表示制御信に基づき、対応する表示装置の表示動作を制御する。
【００２１】
事象処理部１５０には、さらに、操作卓２００と通信する部分図表示情報通信部１６０が接続される。部分図表示情報通信部１６０は、自操作卓（操作卓１００）に表示中の部分図画像について部分図表示情報を送信する自操作卓情報送信部１６１、および他操作卓（操作卓２００）から送信された部分図表示情報を受信する他操作卓情報受信部１６２を含む。
【００２２】
他方の操作卓２００は、操作卓１００と同様の構成を有する。図２を参照して、操作卓２００は、操作卓２００の後述するマウス１８１またはキーボード１８２からの運転員の操作内容を受付けるための操作受付部２３５、入力事象を認識する入力事象認識部２４０、および事象処理部２５０を備える。操作受付部２３５、入力事象認識部２４０、および事象処理部２５０の機能は、操作卓１００の操作受付部１３５、入力事象認識部１４０および事象処理部１５０と同様である。したがって、詳細な説明は繰返さない。
【００２３】
事象処理部２５０には、表示装置２１０に対応した全体図表示制御部２７１、表示装置２２０に対応した部分図表示制御部２７２、および表示装置２３０に対応した部分図表示制御部２７３が接続される。事象処理部２５０には、さらに、操作卓１００と通信する部分図表示情報通信部２６０が接続される。部分図表示情報通信部２６０は、自操作卓（操作卓２００）において画面に表示中の部分図画像についての部分図表示情報を他の操作卓（操作卓１００）に送信する自操作卓情報送信部２６１、および他操作卓から送信された部分図表示情報を受信する他操作卓情報受信部２６２を含む。
【００２４】
事象処理部２５０は、入力事象認識部２４０により認識された情報に基づく処理を行う機能、情報取得部２５１および制御信号出力部２５２を含む。情報取得部２５１は画面に表示中の部分図画像を識別するための識別情報（後述する指定範囲情報６８）等を取得する。制御信号出力部２５２は、表示制御信号を表示制御部（全体図表示制御部２７１、および部分図表示制御部２７２，２７３）に出力する。全体図表示制御部２７１、および部分図表示制御部２７２，２７３は、事象処理部１５０からの表示制御信に基づき、対応する表示装置の表示動作を制御する。
【００２５】
図３は、本発明の実施の形態に係る操作卓１００のハードウェア構成図である。電力系統監視システムの各操作卓は図３に示す操作卓１００と同様の構成を有するので、ここでは、代表して操作卓１００について説明する。図３を参照して操作卓１００はＣＰＵ（Central Processing Unit）１、各種情報およびプログラムを記憶するためのメモリ領域である記憶部２、表示装置１１０、１２０および１３０に表示制御信号を出力するための回路等からなる表示インターフェイス３、モデム等を含む通信インターフェイス５、および運転員が操作するマウス１８１およびキーボード１８２を備える。
【００２６】
図２に示した操作卓の機能の各部は、記憶部２に予め格納されるプログラムまたはプログラムと回路の組合せにより実現される。ＣＰＵ１がプログラムを記憶部２から読出し実行することにより各部の機能が実現される。
【００２７】
（表示例）
図４には、実施の形態１に係る画面における電力系統図の画面表示例が示される。図４（Ａ）の画面１１Ａには、操作卓１００の表示装置１１０によって、電力系統図の全体図画像が表示される。全体図画像においては、部分図画像を指定するための切出範囲１１１、１１２、１１３および１１４をマーキングする矩形状の画像（以下、マーク画像ともいう）が表示されている。操作卓１００の表示装置１２０により、画面１２Ａには切出範囲１１１で指定された部分図画像が拡大表示され、表示装置１３０により、画面１３Ａには切出範囲１１２で指定された部分図画像が拡大表示されている。図４（Ｂ）の画面２１Ａには、操作卓２００の表示装置２１０によって、電力系統図の全体図画像が表示され、全体図画像においては、部分図画像を指定するための切出範囲２１１、２１２、２１３および２１４のマーク画像が表示されている。操作卓２００の表示装置２２０によって画面２２Ａには、切出範囲２１３で指定された部分図画像が拡大表示される。また、表示装置２３０によって画面２３Ａには、切出範囲２１４で指定された部分図画像が拡大表示されている。これら画面の全体図画像と部分図画像の表示処理の詳細は図７で後述する。
【００２８】
（記憶内容の一例）
図５は、実施の形態１に係る記憶内容の一例を示す図である。本実施の形態の表示処理を実現するために制御所１Ａの各操作卓の記憶部２は、領域Ｅ１、Ｅ２およびＥ３を含む。領域Ｅ１は表示範囲テーブル２０を格納し、領域Ｅ２は、監視対象の電力系統の全体図を表わす全体図画像データ３０を格納する。領域Ｅ３はプログラム等を格納する。全体図画像データ３０は、監視対象の電力系統の全体図画像を表す画像データである。ここでは、全体図画像データ３０および部分図画像は矩形画像として扱い、また、これらを、直交するＸ軸およびＹ軸で規定される２次元座標の平面画像データとして扱う。したがって、全体図画像における任意の位置および範囲、ならびに部分図画像の範囲は、当該２次元座標における座標値で示すことができる。
【００２９】
図５を参照して、表示範囲テーブル２０はデータをレコード形式で格納する。表示範囲テーブル２０の各レコードは、各操作卓の各表示装置に対応して、当該表示装置の画面に表示される部分図画像について、当該部分図画像が全体図画像において占める範囲を示すための情報を有する。具体的には、各レコードの情報は、表示先の操作卓を識別するための操作卓Ｎｏ．２１、当該操作卓に接続された表示装置を識別するための表示装置Ｎｏ．２２、当該操作卓が設置された制御所を識別するための制御所Ｎｏ．２４、および座標データ２５を含む。座標データ２５は、対応する部分図画像が全体図画像に占める範囲を示す２次元の座標値（Ｘ座標１、Ｙ座標１、Ｘ座標２、およびＹ座標２）を含む。
【００３０】
部分図画像は矩形形状を有する。座標データ２５は、矩形の左上端の座標（Ｘ座標１、Ｙ座標１）および右下端の座標（Ｘ座標２、Ｙ座標２）の組により、当該部分図画像の全体図画像に占める範囲を示す。
【００３１】
なお、図５は、制御所１Ａの操作卓に格納されたデータ例を示したが、他の制御所の操作卓においても同様の構造のデータが格納される。また、座標データ２５は、異なる制御所の操作卓で表示される部分図画像を管理する場合には、制御所Ｎｏ．２４と座標データ２５の組であるデータ２３を用いる。したがって、異なる制御所の操作卓間で部分図表示処理を行う場合には、データ２３を用いて当該部分図表示処理を実施することができる。ここでは、説明を簡単に行うために、制御所１Ａ内の操作卓間における座標データ２５を用いた部分図表示処理を説明する。
【００３２】
（通信パケット）
図６は、実施の形態１に係る操作卓間でやり取りされる通信用のパケット例を示す。実施の形態１では、操作卓間で部分図表示処理を行うために図６のパケット形式のデータを送受信するが、形式はパケットに限定されず、フレーム形式であってもよい。
【００３３】
図６を参照して、パケット６０は、ヘッダ部ＨＤとデータ部ＤＢを含む。ヘッダ部ＨＤは、当該パケット６０のあて先を示すあて先データ６１と送信元を示す送信元データ６２を含む。あて先データ６１および送信元データ６２は、各操作卓に割当てられたアドレスを示す。データ部ＤＢには、データ本体６３が格納される。データ本体６３は、指定表示先情報６７（部分図画像の表示先となる操作卓を指定する操作卓Ｎｏ．６４、表示先となる表示装置を識別する表示装置Ｎｏ．６５）、および指定範囲情報６８を含む。指定範囲情報６８は、当該部分図画像を識別するための情報である。具体的には、指定範囲情報６８は、全体図画像に占める当該部分図画像の範囲を表す座標値を示す。
【００３４】
上述の指定表示先情報６７は、複数の画面のうち、操作内容から取得された識別情報（指定範囲情報６８）によって識別される部分図画像を表示するための画面を指定する情報である。ここでは、各表示装置により１個の画面が表示される。したがって、本実施の形態では、指定表示先情報６７は、表示装置を識別するための情報を示す。
【００３５】
（表示処理）
図７は、本実施の形態１に係る表示処理のフローチャートである。図８は、図７のフローチャートで判定される事象の説明図である。図７のフローチャートは、プログラムとして記憶部２の領域Ｅ３に予め格納される。ＣＰＵ１は、プログラムを記憶部２から読出し実行することにより、表示処理が実現される。
【００３６】
図７と図８を参照して、部分図画像の範囲（以下、切出範囲ともいう）を、操作卓２００の表示装置２１０により表示される全体図画像において、画像として表示させる処理を説明する。切出範囲は、操作卓１００の表示装置１１０で表示中の全体図画像内において運転員により指定される。つまり、運転員は、表示中の全体図画像において所望の部分図画像を指定する場合には、マウス１８１を操作して、部分図画像に対応する矩形の左上端および右下端をクリック操作すればよい。または、矩形を描くドラッグ操作をすればよい。
【００３７】
操作卓１００の運転員が、表示装置１２０または表示装置１３０により表示させる部分図画像の切出範囲を指定するために、表示装置１１０により表示されている全体図画像に対し、上述の操作により指定したとする。この操作は、操作受付部１３５により受付けられる。ＣＰＵ１は、受付けられた操作内容（ドラック操作の軌跡を示す動きパターン等）に基づき、図８の事象Ａ（表示装置１２０への部分図表示指示の入力操作）または事象Ｂ（表示装置１３０への部分図表示指示の入力操作）が発生したと判定する（ステップＳ１）。
【００３８】
入力事象認識部１４０は、入力事象ＡまたはＢを認識する。具体的には、入力事象認識部１４０は、受付けられた操作内容（マウスの動きパターン）を解析し、解析結果を情報取得部１５１に出力する。情報取得部１５１は、解析結果から、表示装置１２０と表示装置１３０のどちらを運転員が指定したのかという指定表示先情報６７と、全体図画像のうちのどの範囲を表示するよう運転員が指定したのかという指定範囲情報６８とを取得し、取得した情報を事象処理部１５０へ出力する。
【００３９】
事象処理部１５０は、全体図表示制御部１７１を起動する。起動された全体図表示制御部１７１は、表示装置１１０に、全体図画像において、指定範囲情報６８に該当する切出範囲１１１または切出範囲１１２を示す画像を図４（Ａ）のように表示させる（ステップＳ２、Ｓ５）。
【００４０】
次に事象処理部１５０は、情報取得部１５１から入力され、内部に保持されている指定表示先情報６７をもとに、部分図表示制御部１７２または部分図表示制御部１７３を起動する。起動された部分図表示制御部１７２または部分図表示制御部１７３は、表示装置１２０または表示装置１３０に、指定範囲情報６８に該当する部分図画像を表示させる（ステップＳ３とＳ６）。
【００４１】
具体的には事象処理部１５０は、記憶部２の領域Ｅ２の全体図画像データ３０から、指定範囲情報６８に該当する部分図画像データを抽出する。制御信号出力部１５２は、抽出された部分図画像のデータから、画面に当該部分図画像を表示させるための表示制御信号を生成し、指定表示先情報６７に基づき部分図表示制御部１７２または１７３に出力する。部分図表示制御部１７２または１７３は、入力した表示制御信号に従い対応の表示装置の表示動作を制御する。これにより、表示装置１２０または１３０により表示される部分図画像が更新される。更新されると、ＣＰＵ１は、表示範囲テーブル２０の当該表示装置に対応するレコードの座標データ２５を、表示中の部分図画像の座標を示すように書換える。
【００４２】
さらに事象処理部１５０は、指定表示先情報６７と指定範囲情報６８とを自操作卓情報送信部１６１へ出力する。自操作卓情報送信部１６１は、事象処理部１５０からの指定表示先情報６７と指定範囲情報６８とを含む表示指示情報をデータ部ＤＢに格納したパケット６０を生成し、操作卓２００に送信する（ステップＳ４とＳ７）。この表示指示情報は、指定範囲情報６８に対応する部分図画像の範囲を、全体図画像内において画像として表示するように指示するための情報である。このパケット６０のあて先データ６１には操作卓２００のアドレスが格納され、送信元データ６２には操作卓１００のアドレスが格納される。これらのアドレスは、記憶部２に予め格納されている。
【００４３】
操作卓２００の他操作卓情報受信部２６２は、操作卓１００からのパケット６０を受信し、データ部ＤＢから表示指示情報に含まれる指定表示先情報６７と指定範囲情報６８を抽出し、事象処理部２５０に出力する。
【００４４】
事象処理部２５０は、受信した指定表示先情報６７に基づき、全体図表示制御部２７１を起動する。制御信号出力部２５２は、指定範囲情報６８に基づく表示制御信号を全体図表示制御部２７１に出力する。起動された全体図表示制御部２７１は、表示制御信号に基づき、表示装置２１０の表示動作を制御する。これにより、表示装置２１０は、表示中の全体図画像内において、受信した指定範囲情報６８に該当する切出範囲２１１または切出範囲２１２を示す矩形マークの画像を表示する（図４（Ｂ）の画面２１Ａを参照）。
【００４５】
なお、表示装置１１０または２１０により表示される図４の全体図画像において、切出範囲のマークに付して表示される「操作卓１、操作卓２、表示装置２、表示装置３」の文字情報は、指定表示先情報６７に基づき表示される情報であって、当該マークで示す部分図画像の表示先を報知する。
【００４６】
一方、操作卓２００の運転員がマウス１８１の操作によって表示装置２２０または表示装置２３０に表示させたい部分図画像を、矩形の切出範囲として指定した場合を説明する。操作受付部２３５は、操作卓２００の表示装置２１０により表示されている全体図画像に対する運転員による操作内容を受付ける。操作卓２００のＣＰＵ１は、受付けられた操作内容（ドラック操作の軌跡を示す動きパターン等）に基づき、事象Ｃ（表示装置２２０への部分図表示情報受信の操作）または事象Ｄ（表示装置２３０への部分図表示情報受信の操作）が発生したと判定する（ステップＳ１）。
【００４７】
入力事象認識部２４０は、入力事象ＣまたはＤを認識する。具体的には、入力事象認識部２４０は、受付けた操作内容（マウスの動きパターン）を解析し、解析結果を情報取得部２５１に出力する。情報取得部２５１は、解析結果から、表示装置２２０と表示装置２３０のどちらを運転員が指定したのかという指定表示先情報６７と、全体図画像のうちのどの範囲を表示するよう運転員が指定したのかという指定範囲情報６８とを取得し、取得したこれらの情報を事象処理部２５０へそれぞれ出力する。
【００４８】
事象処理部２５０は、自操作卓情報送信部２６１を起動する。自操作卓情報送信部２６１は、事象処理部２５０から入力された指定表示先情報６７と指定範囲情報６８を含む表示指示情報をデータ部ＤＢに格納したパケット６０を生成し、操作卓１００へ送信する。
【００４９】
操作卓１００では、他操作卓情報受信部１６２が、操作卓２００からパケット６０を受信し、そのデータ部ＤＢの表示指示情報から指定表示先情報６７と指定範囲情報６８を抽出し、事象処理部１５０へ出力する。事象処理部１５０は、指定表示先情報６７に基づき全体図表示制御部１７１を起動させ、指定範囲情報６８に基づく表示制御信号を全体図表示制御部１７１に出力する。全体図表示制御部１７１は、表示制御信号に基づき、全体図画像において、指定範囲情報６８に該当する切出範囲１１３または切出範囲１１４を示す矩形マークの画像を表示するように、表示装置１１０を制御する。
【００５０】
なお、図７では、ＣＰＵ１が操作内容は事象Ａ〜Ｄに該当しないと判定した場合（図７の“以外”）は、処理を終了する。
【００５１】
本実施の形態１によれば、操作卓１００と２００の運転員は、他の操作卓で表示中の部分図画像が全体図画像のどの範囲であるかを、表示装置１１０（または２１０）により表示された矩形マークの位置から確認することができる。運転員は、確認結果から、自己の操作卓において表示中の部分図画像が他の操作卓で表示中の部分図画像と同じ、すなわち電力系統の監視範囲が重複しているか否かを判別することができる。運転員は、重複していると判別した場合には、監視範囲の漏れがないように、自己の操作卓において表示される部分図画像を変更するこができる。
【００５２】
[実施の形態２]
図９は、実施の形態２に係る操作卓１００Ａと２００Ａの機能構成を関連付けて示す図である。図１０は、実施の形態２に係る画面における電力系統図の表示例を示す図である。図１１は、本実施の形態２に係る表示処理のフローチャートである。図１２は、図１１のフローチャートで判定される事象の説明図である。図１１のフローチャートは、予めプログラムとして記憶部２の領域Ｅ３に格納される。ＣＰＵ１がプログラムを記憶部２から読出し実行することにより、当該表示処理が実現される。
【００５３】
図９の操作卓１００Ａと２００Ａの構成と実施の形態１の図２の操作卓１００および２００の構成との間で異なる点は、操作卓１００Ａは、事象処理部１５０および部分図表示情報通信部１６０の代わりに事象処理部１５０Ａおよび部分図表示情報通信部１６０Ａを備える点である。操作卓２００Ａも同様に、事象処理部２５０および部分図表示情報通信部２６０の代わりに事象処理部２５０Ａおよび部分図表示情報通信部２６０Ａを備える点である。
【００５４】
事象処理部１５０Ａおよび２５０Ａは、図１２の事象Ｅ，Ｆ，ＧおよびＨについての処理機能を有する。また、部分図表示情報通信部１６０Ａは、図２の構成に加え、他操作卓指示送信部１６３および自操作卓指示受信部１６４を備える。
【００５５】
他操作卓指示送信部１６３は、操作卓２００Ａに部分図画像を表示するように指示するための部分図表示指示情報の入力を、事象処理部１５０Ａから受付け、操作卓２００Ａの自操作卓指示受信部２６４へ部分図表示指示情報を送信する。
【００５６】
自操作卓指示受信部１６４は、操作卓２００Ａの他操作卓指示送信部２６３から、操作卓１００Ａに部分図画像を表示するように指示するための部分図表示指示情報を受信し、事象処理部１５０Ａへ部分図表示指示情報を出力する。
【００５７】
部分図表示情報通信部２６０Ａも同様に、図２の構成に加え、他操作卓指示送信部２６３および自操作卓指示受信部２６４を備える。他操作卓指示送信部２６３は、部分図表示指示情報を事象処理部２５０Ａから受付け、操作卓１００Ａの自操作卓指示受信部１６４へ部分図表示指示情報を送信する。自操作卓指示受信部２６４は、部分図表示指示情報を操作卓１００Ａから受信し、事象処理部２５０Ａへ部分図表示指示情報を出力する。
【００５８】
図１１と図１２を参照して、自操作卓の全体図画像において指定された切出範囲の部分図画像を、他操作卓の画面に表示するための処理を説明する。この処理においては、操作卓１００Ａと操作卓２００Ａは部分図表示指示情報を送受信する。
【００５９】
まず、操作卓２００Ａの表示装置２１０により表示されている全体図画像に対して、運転員がマウス１８１の操作によって操作卓１００の表示装置１２０または表示装置１３０に表示させたい部分図画像を切出範囲として指定したとする。このとき、操作卓１００Ａでは、ＣＰＵ１は、操作内容に基づき、事象Ｅ（表示装置１２０への部分図表示指示の受信）または事象Ｆ（表示装置１３０への部分図表示指示の受信）が発生したと判定する（ステップＳ１）。
【００６０】
具体的には、操作卓２００Ａでは、入力事象認識部２４０は、操作受付部２３５が受付けた運転員の操作内容を解析する。情報取得部２５１は、解析結果から、指定表示先情報６７と指定範囲情報６８を取得する。他操作卓指示送信部２６３は、取得された指定表示先情報６７と指定範囲情報６８を含む部分図表示指示情報を格納したパケット６０を生成して、操作卓１００Ａへ送信する。
【００６１】
操作卓１００Ａの自操作卓指示受信部１６４は、他操作卓指示送信部２６３からパケット６０を受信し、パケット６０の部分図表示指示情報から抽出した指定表示先情報６７と指定範囲情報６８とを事象処理部１５０Ａに出力する。事象処理部１５０Ａは、これらの情報に基づき実施の形態１と同様に、全体図表示制御部１７１を起動させ、指定範囲情報６８に基づく表示制御信号を全体図表示制御部１７１に出力する。全体図表示制御部１７１は、表示制御信号に基づき、全体図画像において、指定範囲情報６８に該当する切出範囲１１１または切出範囲１１２を示す矩形マークの画像を表示するように、表示装置１１０を制御する（ステップＳ２、Ｓ５）。
【００６２】
さらに、事象処理部１５０Ａは、指定表示先情報６７をもとに、部分図表示制御部１７２または部分図表示制御部１７３を起動させ、指定範囲情報６８に基づく表示制御信号を部分図表示制御部１７２または部分図表示制御部１７３に出力する。部分図表示制御部１７２または部分図表示制御部１７３は表示制御信号に基づき、指定範囲情報６８に該当する部分図画像を表示するように、表示装置１２０または表示装置１３０を制御する（ステップＳ３、Ｓ６）。このとき、前述のように事象処理部１５０Ａにより、指定範囲情報６８に基づき全体図画像データ３０から部分図画像データが抽出されて、対応の表示制御部および表示装置を介して部分図画像が表示される。
【００６３】
また、操作卓１００Ａの表示装置１１０により表示される全体図画像において、操作卓２００Ａの表示装置２２０または表示装置２３０に表示させる部分図画像が、切出範囲としてマウス１８１によって指定された場合を説明する。この場合には、ＣＰＵ１は、操作内容に基づき、事象Ｇまたは事象Ｈが発生したと判定する。
【００６４】
このときの処理として、情報取得部１５１は、入力事象認識部１４０による入力事象ＧまたはＨの認識結果から、指定表示先情報６７と指定範囲情報６８を取得し、事象処理部１５０Ａへ出力する。事象処理部１５０Ａは、入力されたこれらの情報に基づき全体図表示制御部１７１を起動させ、指定範囲情報６８に基づく表示制御信号を全体図表示制御部１７１に出力する。全体図表示制御部１７１は、表示制御信号に基づき、全体図画像において、指定範囲情報６８に該当する切出範囲１１３または切出範囲１１４を示す矩形マークの画像を表示するように、表示装置１１０を制御する。（ステップＳ８とＳ９）。さらに他操作卓指示送信部１６３は、事象処理部１５０Ａから入力された指定表示先情報６７および指定範囲情報６８を含む部分図表示指示情報を格納したパケット６０を生成し、送信する（ステップＳ８ａとＳ９ａ）。
【００６５】
操作卓２００Ａの自操作卓指示受信部２６４は、操作卓１００Ａの他操作卓指示送信部１６３からパケット６０を受信する。事象処理部２５０Ａは、受信パケット６０から抽出した指定範囲情報６８に基づく表示制御信号を部分図表示制御部２７２または２７３に出力する。部分図表示制御部２７２または２７３は、表示制御信号に基づき、指定範囲情報６８に該当する部分図画像を表示するように、表示装置２２０または２３０を制御する。なお、当該部分図画像のデータは、事象処理部２５０Ａが、指定範囲情報６８に基づき全体図画像データ３０から抽出されることによって取得される。
【００６６】
例えば、図１０（Ａ）を参照して、操作卓１００Ａの運転員が表示装置１１０により表示される全体図画像において、操作卓２００Ａの表示装置２２０を指定して、切出範囲１１３を、ドラッキング操作により指定したとする。この場合には、上述の処理手順に従い、操作卓２００Ａの表示装置２２０（図１０（Ｂ）参照）には、指定された切出範囲１１３に該当する指定範囲情報６８に従う部分図画像が拡大表示される。
【００６７】
実施の形態２によれば、操作卓１００Ａの運転員が、表示装置１１０により表示される全体図画像において切出範囲を指定すると、その範囲に対応の部分図画像を表示するよう指示する部分図表示指示情報が操作卓２００Ａに送信されて、操作卓２００Ａでは、部分図表示指示情報に従い、表示装置２２０（または表示装置２３０）によって部分図画像が表示される。
【００６８】
これにより、操作卓１００Ａの運転員は、表示装置１１０により表示される全体図画像において切出範囲として指定操作するだけで、他の操作卓２００Ａの運転員に対し当該部分図画像を表示させて、監視させることができる。したがって、電力系統の事故または異常の発生時に、運転員は、自己の操作卓１００Ａを操作することにより、他の操作卓２００Ａの画面に事故または異常が発生した範囲の部分図画像を表示させることができる。これにより、他の操作卓２００Ａの運転員は、表示された部分図画像から、事故または異常が発生した範囲を認知することが可能となる。
【００６９】
[実施の形態３]
図１３は、実施の形態３に係る操作卓１００Ｂと２００Ｂの機能構成を関連付けて示す図である。図１４は、実施の形態３に係る画面における電力系統図の表示例を示す図である。図１５は、実施の形態３に係る表示範囲テーブル２０Ｂの構成を示す図である。図１６と図１７は、本実施の形態３に係る表示処理のフローチャートである。図１８は、図１６と図１７のフローチャートで判定される事象の説明図である。図１６と図１７のフローチャートは、プログラムとして記憶部２の領域Ｅ３に予め格納される。ＣＰＵ１が記憶部２からプログラムを読出し実行することにより、表示処理が実現される。
【００７０】
図１３の操作卓１００Ｂと２００Ｂの構成と実施の形態２の図９の操作卓１００Ａおよび２００Ａの構成との間で異なる点は、操作卓１００Ｂは、図９の事象処理部１５０Ａの代わりに事象処理部１５０Ｂを備え、また、表示ロック処理部１９５および表示ロック情報通信部１９０をさらに備える点である。操作卓２００Ｂも同様に、相違点は、図９の操作卓２００Ａの構成に対して、事象処理部２５０Ａの代わりに事象処理部２５０Ｂを備え、表示ロック処理部２９５および表示ロック情報通信部２９０をさらに備える点である。操作卓１００Ｂおよび２００Ｂの他の構成は、図９で説明したものと同様であるので、説明を繰返さない。
【００７１】
表示ロック処理部１９５は、操作卓１００Ｂの表示装置１２０および表示装置１３０、操作卓２００Ｂの表示装置２２０および表示装置２３０の表示ロック情報を処理する。表示ロック情報は、図１５の表示範囲テーブル２０Ｂに格納されることで保持される。
【００７２】
図１５を参照して、表示範囲テーブル２０Ｂは、図５の表示範囲テーブル２０の情報に加え、表示ロック情報２６を格納する。表示ロック情報２６は、各操作卓の各表示装置に対応した記憶領域である自己ロック記憶部２６Ａと他ロック記憶部２６Ｂに格納される。例えば、図１５の表示範囲テーブル２０Ｂは、操作卓１００Ｂに格納されたものとする。自己ロック記憶部２６Ａは、自己（操作卓１００Ｂ）の表示装置による表示画像の変更を禁止するか又は許可するかを示す表示ロック情報２６を記憶する。また、他ロック記憶部２６Ｂは、他の操作卓２００Ｂから受信した当該他の操作卓２００Ｂの表示ロック情報２６を記憶する。表示範囲テーブル２０Ｂの他の情報は図５に説明したものと同様であるから、説明は繰返さない。
【００７３】
表示ロック情報２６には、ＯＮまたはＯＦＦが設定される。ＯＮが設定されていれば、表示ロック情報２６は、他操作卓から当該表示装置への部分図表示指示情報は無効であり、当該情報に従う表示は禁止されることを示す。ＯＦＦが設定されていれば、表示ロック情報２６は、部分図表示指示情報は有効であり、当該情報に従う表示は許可されることを示す。各表示装置の表示ロック情報２６のＯＦＦからＯＮまたはＯＮからＯＦＦへの変更指示は、当該表示装置に対する運転員の操作に基づき入力される。表示ロック処理部１９５は入力操作による変更指示に基づき、表示範囲テーブル２０Ｂの当該表示装置に対応する自己ロック記憶部２６Ａの表示ロック情報２６を変更する。
【００７４】
また、表示ロック情報通信部１９０は、自操作卓表示ロック情報送信部１９１と他操作卓表示ロック情報受信部１９２とを備える。操作卓１００Ｂの表示装置１２０または表示装置１３０の表示ロック情報２６が変更されたときに、事象処理部１５０Ｂは、変更後の表示ロック情報２６を自操作卓表示ロック情報送信部１９１に出力する。自操作卓表示ロック情報送信部１９１は、事象処理部１５０Ｂからの表示ロック情報２６を、操作卓２００Ｂの他操作卓表示ロック情報受信部２９２へ送信する。
【００７５】
他操作卓表示ロック情報受信部１９２は、操作卓２００の表示装置２２０または表示装置２３０の表示ロック情報２６が変更されたときに、当該表示装置の表示ロック情報２６を、操作卓２００の自操作卓表示ロック情報送信部２９１より受信し、受信した表示ロック情報２６を、事象処理部１５０Ｂへ出力する。事象処理部１５０Ｂは、操作卓２００Ｂから表示装置２２０または２３０の表示ロック情報２６を受信したときは、受信した表示ロック情報２６を表示ロック処理部１９５に出力する。表示ロック処理部１９５は、受信した表示ロック情報２６を表示範囲テーブル２０Ｂの他ロック記憶部２６Ｂに格納する。これにより、表示範囲テーブル２０Ｂでは、自己の画面についての表示ロック情報２６とともに、他の操作卓の画面の表示ロック情報２６も最新の情報に保持することができる。
【００７６】
（表示ロック情報の更新処理）
図１６を参照して、表示ロック処理部１９５により表示範囲テーブル２０Ｂの表示ロック情報２６を変更する処理を説明する。この処理は、操作卓１００Ｂの運転員によって、表示ロック情報２６を、ＯＦＦからＯＮ又はＯＮからＯＦＦに変更する指示が入力されたときに実施される。
【００７７】
操作卓１００の運転員がマウス１８１を操作することによって、表示装置１２０または１３０の表示ロック情報２６を、ＯＦＦからＯＮ又はＯＮからＯＦＦへ変更する指示が入力される。この場合に、ＣＰＵ１は、操作内容に基づき、図１８の事象Ｉまたは事象Ｊが発生したと判定する。
【００７８】
このとき、入力事象認識部１４０は、入力事象ＩまたはＪを認識する。具体的には、入力事象認識部１４０は、操作受付部１３５が受付けた運転員の操作内容を解析し、解析結果を情報取得部１５１に出力する。情報取得部１５１は、解析結果から、表示装置１２０と表示装置１３０のどちらの表示ロック情報２６を変更したのかという表示ロック変更装置情報と、変更後の表示ロック情報（ＯＮまたはＯＦＦ）を取得する。
【００７９】
ＣＰＵ１は、受付けられた操作内容に基づき、事象ＩまたはＪが発生したと判定する。事象Ｉが発生した場合には、ＣＰＵ１は、表示ロック処理部１９５を起動させる。表示ロック処理部１９５は、情報取得部１５１からの表示ロック変更装置情報と変更後表示ロック情報をもとに、表示範囲テーブル２０Ｂの自己ロック記憶部２６Ａの対応する表示装置の表示ロック情報２６を、変更後表示ロック情報に書換える（ステップＳ１１）。さらに事象処理部１５０Ｂは、取得された表示ロック変更装置情報と変更後表示ロック情報を、自操作卓表示ロック情報送信部１９１に出力する。自操作卓表示ロック情報送信部１９１は、事象処理部１５０Ｂから入力したこれらの情報を格納したパケット６０を生成して操作卓２００Ｂに送信する（ステップＳ１２）。
【００８０】
操作卓２００Ｂの他操作卓表示ロック情報受信部２９２は、操作卓１００Ｂの自操作卓表示ロック情報送信部１９１からパケット６０を受信する。他操作卓表示ロック情報受信部２９２は、受信パケット６０から、表示ロック変更装置情報と変更後表示ロック情報を読出し、事象処理部２５０Ｂに、これらの情報を出力する。事象処理部２５０Ｂは、他操作卓表示ロック情報受信部２９２からの情報を表示ロック処理部２９５に出力する。表示ロック処理部２９５は、事象処理部２５０Ｂからの情報に基づき、操作卓２００Ｂの表示範囲テーブル２０Ｂの他ロック記憶部２６Ｂにおける表示ロック変更装置情報が示す表示装置の表示ロック情報２６を、変更後表示ロック情報を示すように変更する。
【００８１】
上述の事象Ｉと同様の処理が、表示装置１３０の表示ロック情報２６が変更された場合の事象Ｊの処理においても実施される（ステップＳ１３、Ｓ１４）。
【００８２】
また、操作卓２００Ｂの運転員がマウス１８１を操作することによって、表示装置２２０または表示装置２３０の表示ロック情報を、ＯＦＦからＯＮまたはＯＮからＯＦＦへ変更する指示を、操作卓２００Ｂに入力した場合を説明する。ＣＰＵ１は、操作内容に基づき、事象Ｋまたは事象Ｌが発生したと判定する。
【００８３】
このときの処理として、操作受付部２３５は、運転員の操作内容を受付ける。入力事象認識部２４０は受付けられた操作内容を解析する。情報取得部２５１は、当該解析結果から表示ロック変更装置情報と変更後の表示ロック情報を取得する。
【００８４】
事象処理部２５０は、取得された表示ロック変更装置情報と変更後の表示ロック情報を自操作卓表示ロック情報送信部２９１に出力する。自操作卓表示ロック情報送信部２９１は事象処理部２５０からの表示ロック変更装置情報と変更後の表示ロック情報を、データ部ＤＢに格納したパケット６０を生成し、操作卓１００Ｂへ当該パケット６０を送信する。
【００８５】
操作卓１００Ｂの他操作卓表示ロック情報受信部１９２は、受信したパケット６０から抽出した表示ロック変更装置情報と変更後表示ロック情報を事象処理部１５０Ｂに出力する。このとき、ＣＰＵ１は受信情報から事象ＫまたはＬを識別し、以降は識別した事象に応じた処理が行われる。
【００８６】
つまり、事象処理部１５０Ｂは、他操作卓表示ロック情報受信部１９２からの情報（表示ロック変更装置情報と変更後の表示ロック情報）を、表示ロック処理部１９５へ出力する。表示ロック処理部１９５は、事象処理部１５０Ｂからの表示ロック変更装置情報をもとに、表示範囲テーブル２０Ｂの他ロック記憶部２６Ｂを検索し、表示ロック変更装置情報が示す表示装置２２０または２３０に対応の表示ロック情報２６を、変更後表示ロック情報を示すように変更する（ステップＳ１５、Ｓ１６）。
【００８７】
これにより、操作卓１００Ｂと２００Ｂの両方において、各操作卓の表示装置に対する表示ロック情報２６を最新情報に保持しておくことができる。
【００８８】
（表示処理）
図１７と図１８を参照して、操作卓１００Ｂと操作卓２００Ｂが部分図表示指示情報を送受信する処理を説明する。この処理では、自操作卓は、表示ロック情報２６をもとに他操作卓へ部分図表示指示情報を送信するか否かを決定する。
【００８９】
まず、操作卓１００Ｂの表示装置１２０または表示装置１３０に表示させる部分図画像を指定するために、操作卓２００Ｂの運転員がマウス１８１を操作して、表示装置２１０により表示されている全体図画像に対して切出範囲を指定した場合を説明する。このとき、表示装置１２０または表示装置１３０の表示ロック情報２６がＯＦＦである場合には、操作卓１００Ｂでは事象Ｅまたは事象Ｆが発生する。事象Ｅまたは事象Ｆが発生したときの処理は、実施の形態２における処理と同様であるので（ステップＳ２、Ｓ３、Ｓ５およびＳ６）、説明は繰返さない。
【００９０】
また、操作卓２００Ｂの表示装置２２０または表示装置２３０に表示させる部分図画像を指定するために、操作卓１００Ｂの運転員がマウス１８１を操作して、表示装置１１０により表示されている全体図画像に対して切出範囲を指定した場合を説明する。この場合には、実施の形態２で説明した事象Ｇまたは事象Ｈが発生する。なお、実施の形態３では、実施の形態２とは異なり、事象Ｇまたは事象Ｈの処理は、表示ロック情報２６に基づき実施される。
【００９１】
まず入力事象認識部１４０は、操作受付部１３５が受付けた操作内容を解析する。情報取得部１５１は、解析結果から、指定表示先情報と指定範囲情報を取得する。事象処理部１５０Ｂは、取得された情報のうち指定表示先情報のみを表示ロック処理部１９５へ出力する。
【００９２】
表示ロック処理部１９５は、指定表示先情報に基づき表示範囲テーブル２０Ｂを検索し、指定表示先情報が示す表示装置（表示装置２２０または表示装置２３０）に対応の表示ロック情報２６を読出し、事象処理部１５０Ｂへ表示ロック情報２６を出力する。
【００９３】
事象処理部１５０Ｂは、読出された表示ロック情報２６がＯＮかＯＦＦかを判定する（ステップＳ６ａ、Ｓ６ｂ）。事象処理部１５０Ｂは、ＯＦＦであると判定した場合には、ＣＰＵ１により、事象Ｍの発生が判定されて、実施の形態２で説明した処理が実施される。つまり、事象処理部１５０Ｂは、取得された指定表示先情報６７と指定範囲情報６８を用いて、マーク画像の表示処理（ステップＳ８またはＳ９）を行なう。この表示処理では、指定範囲情報６８に該当する切出範囲１１３または切出範囲１１４を示すマーク画像が、表示装置１１０によって表示される全体図画像において表示される。また、指定表示先情報６７と指定範囲情報６８を含む部分図表示指示情報が操作卓２００Ｂに送信される。操作卓２００Ｂでは、受信された部分図表示指示情報に基づき、表示装置２２０または表示装置２３０によって指定範囲情報６８に該当する部分図画像が表示される（ステップＳ８ａまたはＳ９ａ）。
【００９４】
一方、読出された表示ロック情報２６の値がＯＮであると判定された場合には、事象Ｎの発生が判定されて、メッセージ出力処理と無効処理とが実施される。メッセージ出力処理では、事象処理部１５０Ｂは、全体図表示制御部１７１を起動する。全体図表示制御部１７１は、指定表示先（表示装置２２０または２３０）の表示ロック情報２６がＯＮであった旨のメッセージを、表示装置１１０に表示させる（ステップＳ８ｂまたはＳ９ｂ）。
【００９５】
これにより、事象処理部１５０Ｂは、表示装置１１０による表示画面１１Ａを、図１４（Ａ）から図１４（Ｃ）のようにメッセージ３３３を表示する画面１１Ａに切替えることができる。事象処理部１５０Ｂは、運転員に対して表示装置２２０または２３０の部分図画像を切替える操作は無効である（受付けない）ことを報知することができる。なお、メッセージ表示に替えて、またはメッセージ表示とともに音声出力による報知がされてもよい。
【００９６】
事象Ｎの上述の無効処理では、事象処理部１５０Ｂは、ステップＳ８とＳ８ｂ（またはＳ９とＳ９ｂ）の処理を実施しない。したがって、表示装置１１０により表示される全体図画像では、操作内容に従う表示装置２２０または２３０の切出範囲のマーク画像は表示されない。また操作卓２００Ｂに対する部分図表示指示情報の送信は行われない。これにより、操作卓２００Ｂの表示装置２２０または２３０により表示される部分図画像は切替わらず、もとのままとすることができる。
【００９７】
また、上述の無効処理は、表示制御信号の出力を禁止する処理を含む。つまり、表示装置の表示ロック情報２６がＯＮを示す場合には、事象処理部１５０Ｂ（または２５０Ｂ）は他操作卓から当該表示装置に対する部分図表示指示情報を受信したとしても、当該部分図表示指示情報に基づいた表示制御信号を出力しない。また、上述の無効処理は、分図表示指示情報の送信を禁止する処理を含む。つまり、事象処理部２５０Ａ（または２５０Ｂ）は、送信先の表示装置の表示ロック情報２６がＯＮを示す場合には、当該表示装置を示す指定表示先情報６７を含む部分図表示指示情報を送信しない。
【００９８】
実施の形態３では、画面に対応の表示ロック情報２６が“ＯＦＦ”→“ＯＮ”に変更されたときは、事象処理部１５０Ｂ（または２５０Ｂ）は表示ロック中であることを報知してもよい。例えば、図１４（Ｂ）の画面２２Ａのようにメッセージ３２３が表示されることにより、表示装置２２０は表示ロック中であることが報知される。
【００９９】
実施の形態３によれば、表示ロック情報２６の設定を行うことにより、例えば、操作卓１００Ｂの運手員が、電力系統機器の操作等の重要なオペレーションを実行している時に、他の操作卓２００Ｂからの部分図表示指示情報による画像の表示切替えを禁止することができる。これにより、操作卓で表示中の部分図画像が意図せずに変更されることが防止されて、当該操作卓の運転員は確実にオペレーションを実行することが可能となる。
【０１００】
なお、各操作卓は、実施の形態１〜３の機能のうちの１つ、または２つ以上を備える。
（変形例）
実施の形態１〜３の変形例として、監視範囲の漏れを防ぐための処理を説明する。図１９は、実施の形態１〜３の変形例に係る処理を示すフローチャートである。図２０は、図１９の処理において参照される管理データ３０１の一例を示す図である。管理データ３０１は、各操作卓の記憶部２に共通して格納される。図２０を参照して、管理データ３０１は、電力系統の全体図画像における複数の部分図画像のそれぞれについて、各操作卓の画面に表示された履歴を記録するためのレコードを有する。各レコードは、対応の部分図画像を識別するためのデータ３１、予め定められた期間において当該部分図画像を自己の画面に表示した操作卓を識別するための表示識別情報３２、後述する基準台数３７、および当該部分図画像に対する表示漏れ判定のための重付け条件３３を含む。なお、予め定められた期間は、可変に設定可能であり、例えば３０日間、７日間等である。
【０１０１】
データ３１は、対応の部分図画像の識別子であるエリアＩＤ３４、および当該部分図画像の全体図画像に占める範囲を示す座標データ３５を含む。表示識別情報３２は、各操作卓について設定されて、０または１の値が設定される。ＣＰＵ１は、予め定められた期間の開始において各操作卓の表示識別情報３２を０に初期設定し、予め定めた期間において、当該操作卓の画面に対応の部分図画像が表示されると、対応の表示識別情報３２を０から１に書換える。書換え後の値（＝１）は、初期設定されるまでは保持される。
【０１０２】
図１９のフローチャートに従い処理を説明する。図１９のフローチャートは、プログラムとして記憶部２の領域Ｅ３に予め格納される。ＣＰＵ１が、プログラムを記憶部２から読出し実行することにより、当該処理が実施される。各実施の形態の事象処理部１５０、１５０Ａ、１５０Ｂ、２５０、２５０Ａおよび２５０Ｂにより、当該変形例と同様の処理が実施される。ここでは代表して、事象処理部１５０により実施される場合を説明する。
【０１０３】
上記の予め定められた期間が終了したと判定されると、図１９の処理が開始される。まず、事象処理部１５０は、記憶部２の管理データ３０１に基づき、各部分図画像について対応の表示識別情報３２から、全ての部分図画像が操作卓のいずれかの表示装置によって表示されたか否かを判定する（Ｔ１）。
【０１０４】
具体的には、部分図画像について対応の表示識別情報３２の値が全て０であるときは、事象処理部１５０は、当該部分図画像は表示されていないと判定し、そうでないときは表示されたと判定する。事象処理部１５０は、この判定を全ての部分図画像について行うことにより、全ての部分図画像について表示されたか否かを判定する。全ての部分図画像が表示されたと判定されたときは（ステップＴ２でＮＯ）、処理は終了する。表示されていない部分図画像が有ると判定されたときは（ステップＴ２でＹＥＳ）、事象処理部１５０は当該部分図画像に対応のエリアＩＤ３４を管理データ３０１から読出し、画面に表示または音声出力等して、部分図画像が表示されていない旨を、運転員に報知する（ステップＴ３）。このとき、当該エリアＩＤを他の操作卓に送信して、他の操作卓でも報知させるようにしてよい。なお、事象処理部１５０は、全ての部分図画像が表示されたと判定したときは、全て表示された旨を報知してもよい。
【０１０５】
また、上記のステップＴ１の判定のために、管理データ３０１の予め定めた基準台数３７を用いてもよい。つまり、事象処理部１５０は、予め定められた期間において部分図を表示した操作卓の台数を表示識別情報３２の値に基づきカウントし、このカウント値が対応の基準台数３７未満であれば、当該部分図画像は表示されなかったと判定し、判定結果を運転員に報知するとしてもよい。また、予め定められた基準台数３７は、重付け条件３３に従って可変に設定されてよい。また、重付け条件３３は対応する部分図画像の種類（重要部分の系統を表す部分図画像である、工事中部分の系統を表す部分図画像である等）に従い可変に設定されてもよい。
【０１０６】
今回開示された実施の形態はすべての点で例示であって制限的なものではないと考えられるべきである。本発明の範囲は、上記した説明ではなく、特許請求の範囲によって示され、特許請求意味および範囲内でのすべての変更が含まれることが意図される。
【符号の説明】
【０１０７】
１００，１００Ａ，１００Ｂ，２００，２００Ａ，２００Ｂ  操作卓、２０，２０Ｂ  表示範囲テーブル、２６  表示ロック情報、３０  全体図画像データ、３７  基準台数、６０  パケット、１１０，１２０，１３０，２１０，２２０，２３０  表示装置、１３５，２３５  操作受付部、１４０，２４０  入力事象認識部、１５０，１５０Ａ，１５０Ｂ，２５０，２５０Ａ，２５０Ｂ  事象処理部、１５１，２５１  情報取得部、１５２，２５２  制御信号出力部、１６０，１６０Ａ，２６０，２６０Ａ  部分図表示情報通信部、１７１，２７１  全体図表示制御部、１７２，１７３，２７２，２７３  部分図表示制御部、１１Ａ，１２Ａ，１３Ａ，２１Ａ，２２Ａ，２３Ａ  画面。
【図１】
2016045213.tif 000003
【図２】
2016045213.tif 000004
【図３】
2016045213.tif 000005
【図４】
2016045213.tif 000006
【図５】
2016045213.tif 000007
【図６】
2016045213.tif 000008
【図７】
2016045213.tif 000009
【図８】
2016045213.tif 000010
【図９】
2016045213.tif 000011
【図１０】
2016045213.tif 000012
【図１１】
2016045213.tif 000013
【図１２】
2016045213.tif 000014
【図１３】
2016045213.tif 000015
【図１４】
2016045213.tif 000016
【図１５】
2016045213.tif 000017
【図１６】
2016045213.tif 000018
【図１７】
2016045213.tif 000019
【図１８】
2016045213.tif 000020
【図１９】
2016045213.tif 000021
【図２０】
2016045213.tif 000022